(57)【特許請求の範囲】
【請求項１】
情報記録媒体にレーザ光を照射して情報を記録若しくは再生する光ディスク制御方法において、
前記レーザ光の最適記録レーザパワーを決定するために前記光ディスク上の試し書き領域に、記録レーザパワーの強度を段階的に変動するように設定すると共に、発光順番を該段階的変動の隣り合うレーザパワーの強度よりも大きく変動するように強弱を組み合わせて設定してデータを書込み制御する試し書きライト手段と、
該試し書きライト手段により記録された前記試し書き領域のデータを再生し、直前に再生した再生レベルに対して規定値以上の異なる再生レベルを検出した場合、該検出位置を前記記録レーザパワーの変更個所として識別する試し書きリード手段と、を備えたことを特徴とする光ディスク制御方法。
【請求項２】
前記試し書きライト手段は、前記記録レーザパワーの強度を段階的に変動するように設定すると共に、発光順番をどのレーザパワー強度境界での強度差が同等の段数となるように強弱交互に設定してデータを書込み制御することを特徴とする請求項１記載の光ディスク制御方法。
【請求項３】
前記試し書きライト手段は、設定した発光順番でデータを書込み制御するときに、該記録レーザパワーを変更する境界において一時的に前記記録レーザパワーを出力しないように制御することを特徴とする請求項１または２に記載の光ディスク制御方法。
【請求項４】
前記試し書きライト手段は、該記録レーザパワーを変更する境界において一時的に前記記録レーザパワーをイレース発光となるように制御することを特徴とする請求項３記載の光ディスク制御方法。
【請求項５】
情報記録媒体にレーザ光を照射して情報を記録若しくは再生する光ディスク制御方法において、
前記レーザ光の最適記録レーザパワーを決定するために前記光ディスク上の試し書き領域に、記録レーザパワー強度を段階的に変化させて記録する試し書きライト手段と、
該試し書きライト手段により記録された前記試し書き領域のデータを再生する場合、前記試し書きライト手段と同様の記録データを生成し、該生成量でタイミングをとることにより前記記録レーザパワーの変更位置を識別する試し書きリード手段と、を備えたことを特徴とする光ディスク制御方法。
【請求項６】
情報記録媒体にレーザ光を照射して情報を記録若しくは再生する光ディスク制御装置において、
前記レーザ光の最適記録レーザパワーを決定するために前記光ディスク上の試し書き領域に、記録レーザパワーの強度を段階的に変動するように設定すると共に、発光順番を該段階的変動の隣り合うレーザパワーの強度よりも大きく変動するように強弱を組み合わせて設定してデータを書込み制御する試し書きライト手段と、
該試し書きライト手段により記録された前記試し書き領域のデータを再生し、直前に再生した再生レベルに対して規定値以上の異なる再生レベルを検出した場合、該検出位置を前記記録レーザパワーの変更個所として識別する試し書きリード手段と、を備えたことを特徴とする光ディスク制御装置。
【請求項７】
前記試し書きライト手段は、前記記録レーザパワーの強度を段階的に変動するように設定すると共に、発光順番をどのレーザパワー強度境界での強度差が同等の段数となるように強弱交互に設定してデータを書込み制御することを特徴とする請求項６記載の光ディスク制御装置。
【請求項８】
前記試し書きライト手段は、設定した発光順番でデータを書込み制御するときに、該記録レーザパワーを変更する境界において一時的に前記記録レーザパワーを出力しないように制御することを特徴とする請求項６または７に記載の光ディスク制御装置。
【請求項９】
前記試し書きライト手段は、該記録レーザパワーを変更する境界において一時的に前記記録レーザパワーをイレース発光となるように制御することを特徴とする請求項８記載の光ディスク制御装置。
【請求項１０】
情報記録媒体にレーザ光を照射して情報を記録若しくは再生する光ディスク制御装置において、
前記レーザ光の最適記録レーザパワーを決定するために前記光ディスク上の試し書き領域に、記録レーザパワー強度を段階的に変化させて記録する試し書きライト手段と、
該試し書きライト手段により記録された前記試し書き領域のデータを再生する場合、前記試し書きライト手段と同様の記録データを生成し、該生成量でタイミングをとることにより前記記録レーザパワーの変更位置を識別する試し書きリード手段と、を備えたことを特徴とする光ディスク制御装置。
【発明の詳細な説明】
【０００１】
【発明の属する技術分野】
本発明は、追記あるいは書き換え可能な光ディスクに対して、データを書き込み、その光ディスクに書き込まれたデータを読み出す光ディスク装置に関し、さらに詳しくは、特にいくつかの段階のレーザパワーを設定して記録具合を測る最適レーザパワーキャリブレーション：ＯＰＣ（Optimum Power Calibration）での記録、再生手法およびその装置に関するものである。
【０００２】
【従来の技術】
追記あるいは書き換え可能な光ディスクへの記録では、光ディスクのメディア特性や記録ドライブのレーザ特性などにより、レーザに印加するべき駆動電流は各々浮動的である。一般に、実際のデータ領域への記録を行う前にディスクの最内周にある試し書き用のパワーキャリブレーションエリア：ＰＣＡ（Power Calibration Area）でパワーを段階的に変えながら試し書きをし（以下、ＯＰＣライトと記す）、その記録したＰＣＡ領域を調べる（以下、ＯＰＣリードと記す）ことで最適なレーザパワーを求めるＯＰＣをおこない、光ディスクのＰＣＡは規定の位置と大きさで対処している。
また近年、光ディスク記録では一枚の光ディスクにパケットと呼ばれる小容量の単位の情報で、何度も追記するパケットライト記録方法が多く実装されているため、試し書きの回数を多くするためには、一度のＯＰＣで試し書きを行う領域をなるべく少なくすることが望まれている。
【０００３】
実用新案登録第０５９３３４号公報には、追記型光ディスクに各種データを追記記録する追記型光ディスク記録装置において、１枚の追記型光ディスクに対して従来よりも多回数のＯＰＣ動作を行うことができるようにする技術について開示されている。それによると、前回のパワーキャリブレーション動作において検出された最適パワーレベルを中心とした前後１段階のパワーレベルのレーザ光によりフレームに対してテスト信号を記録するようにした。これにより、１回のパワーキャリブレーション動作において用いられるフレーム数は３個で済み、少数のフレームで１回のパワーキャリブレーション動作を行うことが可能となるので、１枚の追記型光ディスクにおいて、多回数のパワーキャリブレーション動作を行うことができると述べられている。
また、特開２０００−９９９５１公報では、所定時間経過後に限りＯＰＣを実行することで、ＯＰＣの回数自体を削減する手法について開示されている。
【０００４】
【発明が解決しようとする課題】
しかし、ＯＰＣライトでの記録量を少なくすると、ＯＰＣリードにおいて従来の光ディスク上のアドレスと時間でのレーザパワーの変更個所として識別しようとすると、次の段階のレーザパワーでの記録状態を誤って取得してしまう可能性が大きい。
また、実用新案登録第０５９３３４号公報に記載の技術は、多回数のＯＰＣ動作を行うことができるが、記録レーザパワーを順次段階的に増加する手法のため、最適パワーレベルを検出するのが困難である。また、公開特許公報２０００−９９９５１公報記載の技術は、光ディスクおよび記録装置の動作状態は変化するものであり、記録毎のＯＰＣ実行により最適レーザパワーを決定することがより望ましい。
本発明は、かかる課題に鑑み、ＰＣＡに記録、再生するＯＰＣ制御手法において、従来よりも一回で記録する試し書き領域を少なくしても、レーザパワー変更されて記録された位置を認識して正確な記録状態を取得することにより、最適なレーザパワーを算出する光ディスク記録、再生方法とその装置を提供することを目的とする。
【０００５】
【課題を解決するための手段】
本発明はかかる課題を解決するために、請求項１の発明は、情報記録媒体にレーザ光を照射して情報を記録若しくは再生する光ディスク制御方法において、前記レーザ光の最適記録レーザパワーを決定するために前記光ディスク上の試し書き領域に、記録レーザパワーの強度を段階的に変動するように設定すると共に、発光順番を該段階的変動の隣り合うレーザパワーの強度よりも大きく変動するように強弱を組み合わせて設定してデータを書込み制御する試し書きライト手段と、該試し書きライト手段により記録された前記試し書き領域のデータを再生し、直前に再生した再生レベルに対して規定値以上の異なる再生レベルを検出した場合、該検出位置を前記記録レーザパワーの変更個所として識別する試し書きリード手段と、を備えたことを特徴とする。レーザ光の最適記録レーザパワーを決定するためにＯＰＣは欠かせない動作である。しかし、それと同時にＯＰＣ動作を確実に、しかもできるだけ速く処理することが望まれる。従来の方法は、記録レーザパワーを段階的に増加させ、そのデータを再生時に読み取り、レーザパワーが増加するに従って再生レベルが低下していくデータを計算式に代入して最適パワーレベルを決定していた。このとき、記録レーザパワーを段階的に変化させるため、直前の再生レベルとの差が小さく、しかもノイズレベルとの差、つまりＳ／Ｎが大きくとれない場合があった。そこで、変化値を大きく取るために、隣り合う記録レーザパワーの差を故意に大きくして記録する方法が考えられる。かかる発明によれば、ＯＰＣライトにおいて１パワー当りの記録量を減らしても、ＯＰＣリード時に記録境界を容易に判断することができ、またそれにより各レーザパワーでの反射光量の値取得の精度をあげることが可能となる。また、請求項２の発明は、請求項１の発明であって、前記試し書きライト手段は、前記記録レーザパワーの強度を段階的に変動するように設定すると共に、発光順番をどのレーザパワー強度境界での強度差が同等の段数となるように強弱交互に設定してデータを書込み制御することも本発明の有効な手段である。前記請求項１において、各レーザパワー境界の大きさ（段差）は、まちまちである。境界の大きさが小さいところでは、相対的に他のところよりも境界識別に間違いが入る可能性が高くなる。そこで、レーザパワー値とその順番の決定において、どのパワー変更境界においてもその差が同等であるようにするＯＰＣライトとすることが特徴である。かかる技術手段によれば、反射光量による境の判断の難易程度が一定となり、各レーザパワーでの反射光量取得の精度を均一に高めることが可能となる。
【０００６】
また、請求項３の発明は、請求項１または２に記載の発明であって、前記試し書きライト手段は、設定した発光順番でデータを書込み制御するときに、該記録レーザパワーを変更する境界において一時的に前記記録レーザパワーを出力しないように制御すること特徴とする。１パワー当りの情報量の記録を完了した後に、一定量の記録の間レーザパワーをオフにすることでレーザパワー変更の際には必ず未記録領域とする制御が入ることが特徴である。さらに、記録レーザパワーの変更境界判断を請求項１では他のサンプル値との差から行っていたが、そのリード位置が未記録状態であること（通常は取得値が極大）を示すかどうかで判断することが特徴である。かかる技術手段によれば、ＯＰＣリード時にパワーを変更した個所の検知がさらに明白となり、各レーザパワーでの反射光量取得の精度をさらに上げることが可能となる。また、請求項４の発明は、請求項３の発明であって、前記試し書きライト手段は、該記録レーザパワーを変更する境界において一時的に前記記録レーザパワーをイレース発光となるように制御することも本発明の有効な手段である。請求項３では、記録レーザパワーを変更する境界においてレーザパワーをオフにしたが、オフにした後に再び記録状態に戻すと、発光が安定するまでに時間がかかる。そこで、記録レーザパワーを変更する境界において、全くパワーを０とするのではなく、システムコントローラがレーザ制御部に対してイレースパワー一定とする制御をおこなうことを特徴としている。かかる技術手段によれば、特にＣＤ−ＲＷのような書き換え可能な光ディスク媒体に対して、レーザパワー変更境界で未記録状態とした直後でも安定したレーザ発光で記録を再開することができ、各レーザパワーでの反射光量取得の精度を上げることが可能となる。
【０００７】
また、請求項５の発明は、情報記録媒体にレーザ光を照射して情報を記録若しくは再生する光ディスク制御方法において、前記レーザ光の最適記録レーザパワーを決定するために前記光ディスク上の試し書き領域に、記録レーザパワー強度を段階的に変化させて記録する試し書きライト手段と、該試し書きライト手段により記録された前記試し書き領域のデータを再生する場合、前記試し書きライト手段と同様の記録データを生成し、該生成量でタイミングをとることにより前記記録レーザパワーの変更位置を識別する試し書きリード手段と、を備えたことを特徴とする。データ変調部は、ＯＰＣリード時にも動作するものであり、さらに所定量を擬似的に出力したらシステムコントローラ部へ通知するものである。データ変調部が規定データ量出力したことによる通知が、システムコントローラ部にあったときに次のパワー記録領域であるとの判断としていることを特徴としている。かかる技術手段によれば、ＯＰＣライトでの記録方法によらず、ＯＰＣリードでの記録レーザパワーの変更位置を正確に識別することができ、各レーザパワーでの反射光量取得の精度を上げることが可能となる。また、請求項６の発明は、情報記録媒体にレーザ光を照射して情報を記録若しくは再生する光ディスク制御装置において、前記レーザ光の最適記録レーザパワーを決定するために前記光ディスク上の試し書き領域に、記録レーザパワーの強度を段階的に変動するように設定すると共に、発光順番を該段階的変動の隣り合うレーザパワーの強度よりも大きく変動するように強弱を組み合わせて設定してデータを書込み制御する試し書きライト手段と、該試し書きライト手段により記録された前記試し書き領域のデータを再生し、直前に再生した再生レベルに対して規定値以上の異なる再生レベルを検出した場合、該検出位置を前記記録レーザパワーの変更個所として識別する試し書きリード手段と、を備えたことを特徴とする。また、請求項７の発明は、請求項６の発明であって、前記試し書きライト手段は、前記記録レーザパワーの強度を段階的に変動するように設定すると共に、発光順番をどのレーザパワー強度境界での強度差が同等の段数となるように強弱交互に設定してデータを書込み制御することも本発明の有効な手段である。
【０００８】
また、請求項８の発明は、請求項６または７の発明であって、前記試し書きライト手段は、設定した発光順番でデータを書込み制御するときに、該記録レーザパワーを変更する境界において一時的に前記記録レーザパワーを出力しないように制御することを特徴とする。また、請求項９の発明は、請求項８の発明であって、前記試し書きライト手段は、該記録レーザパワーを変更する境界において一時的に前記記録レーザパワーをイレース発光となるように制御することも本発明の有効な手段である。また、請求項１０の発明は、情報記録媒体にレーザ光を照射して情報を記録若しくは再生する光ディスク制御装置において、前記レーザ光の最適記録レーザパワーを決定するために前記光ディスク上の試し書き領域に、記録レーザパワー強度を段階的に変化させて記録する試し書きライト手段と、該試し書きライト手段により記録された前記試し書き領域のデータを再生する場合、前記試し書きライト手段と同様の記録データを生成し、該生成量でタイミングをとることにより前記記録レーザパワーの変更位置を識別する試し書きリード手段と、を備えたことを特徴とする。
【０００９】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態である光ディスクドライブ装置の構成を示したブロック図である。本光ディスクドライブ装置の構成は、レーザ光により情報が記録され、または情報が読み取られる光ディスク媒体１と、光ディスク媒体１を回転駆動する駆動モータ８と、レーザ光を光ディスク媒体１へ照射するＬＤ（Laser Diode）や、そのＬＤからのレーザ光が光ディスク媒体１に反射して戻ってきた反射光を受光する受光器ＰＤ（Photo Detector）などからなるピックアップ部２と、前記駆動モータ８の回転を制御し、ピックアップ部２のトラッキングとフォーカシング制御をするサーボ部１０と、レーザダイオードの電流制御等を行うレーザ制御部３と、ピックアップ部２からの信号を処理するアナログ信号処理部５と、反射光量を示す数値に変換するＡ／Ｄ変換ブロック部６と、ユーザデータに変換するデータ復調部９と、記録用のピット形式データへ変換するデータ変調部４と、全体を制御するシステムコントローラ７から構成されている。
尚、ピックアップ部２、駆動モータ８、サーボ部１０、レーザ制御部３、データ変調部４、システムコントローラ７が主として試し書きライト手段を構成し、ピックアップ部２、駆動モータ８、サーボ部１０、レーザ制御部３、アナログ信号処理部５、データ復調部９が主として試し書きリード手段を構成している。
【００１０】
次に、本構成による本光ディスクドライブ装置の動作について説明する。図１において実線矢印はデータの主方向、点線矢印は制御信号（命令）の主方向を示す。レーザ光により情報が記録されるまたは情報が読み取られる光ディスク媒体１は、内周から外周へ向けての円状の記録溝であるトラックをもち、駆動モータ部８によって回転される。ピックアップ部２はレーザ光を光ディスク媒体１へ照射するＬＤ（Laser Diode）や、そのＬＤからのレーザ光が光ディスク媒体１に反射して戻ってきた反射光を受光する受光器ＰＤ（Photo Detector）などからなる。ＰＤで受けた光信号は電気的な信号に変換され、アナログ信号処理部５で処理される。受光した光信号をＡ／Ｄ変換ブロック部６で反射光量を示す数値に変換する。これらＡ／Ｄ変換のタイミングや変換値の取得はシステムコントローラ部７によって制御される。アナログ信号処理部５ではまた、ピックアップ部２からの情報のうち、トラックエラー信号、フォーカスエラー信号などの制御信号をサーボ部１０に送り、サーボ部１０ではピックアップ部２に対してサーボ制御を行うことでトラッキング、フォーカシングをおこなう。また、サーボ部１０は駆動モータ部８に対してスピンドル回転制御をおこなう。また、通常の再生時には読み取られた情報は、アナログ信号処理部５よりデータ復調部９へ送られ、ユーザデータに変換される。そのユーザデータはシステムコントローラ部７にあるＲＡＭなどに一時的に記憶され、図示しない外部インタフェースを通じてホストコンピュータに渡される。一方、記録されるデータは、図示しないホストコンピュータから外部インタフェースを通じて、データバッファとしての機能をもつシステムコントローラ部７内のＲＡＭなどへ格納される。その後、システムコントローラ部７のＲＡＭよりデータ変調部４へ送られて記録用のピット形式データへ変換され、さらにレーザ制御部３へ送られ、発光パターンの電流をＰＵ部２のＬＤに印加することでレーザ光が照射されて光ディスク媒体１に記録される。また、このデータ変調部４はリード時にも動作させることができ、その変調したデータ量のタイミングをシステムコントローラ部７へ通知する。このときのレーザ制御部はデータ変調部４の出力データに無関係にリードパワー出力にあたる一定電流をＰＵ部２のＬＤに印加する。システムコントローラ部７は前述の反射光量のＡ／Ｄ変換指示など、他の各ブロック部に対して直接的、間接的に、またタイミングをとってデータや信号処理の切り替えなどを指示する制御命令を出すことで、各ブロック部間での一連の制御動作を実現し、総じては光ディスク記録制御装置全体を統括制御している。システムコントローラ部７は制御実行するＣＰＵとその制御手順をプログラムとして格納するＲＯＭや、作業領域、データバッファとして使われるＲＡＭなどからなる。
本発明ではＯＰＣの際のシステムコントローラ部７によるレーザ制御部３、Ａ／Ｄ変換部７、データ変調部４との間の制御手順が特徴である。
【００１１】
以下、図１のブロック図からなる光ディスク情報記録装置で、ＯＰＣにおいておこなう本発明の実施例の動作を、図を参照しながら詳細に説明する。
図２は、本発明の第１の実施例の図１でのシステムコントローラ部７がＯＰＣでの試し書きをする（ＯＰＣライト）際に行う制御手順を示すフローチャートである。まず、試し書きをするにあたり、段階的に変動するレーザパワーの値とその順番を決定する（ステップＳ１）。図３は、通常でのＯＰＣライトでのパワー変動を示す図である。ＰＣＡ領域内でのアドレス順にＰ１〜Ｐ１０のように順次パワーを増加させていく。それに対して本発明では、図４に示すように、パワーの記録順をＰ１、Ｐ４、Ｐ２などのように大小の組み合わせとなるようにするものである。
次に、ステップＳ１でレーザパワーとその記録順を決定したら、レーザ制御部３に最初のレーザパワーを設定したり、記録するＰＣＡ領域内の位置までピックアップ部２を移動するなどの通常のＯＰＣライトの準備をする（ステップＳ２）。次に、ピックアップ部２から照射されるレーザ光が記録予定位置にきたら記録発光し（ステップＳ３）、１パワー当りの規定量の情報を記録するまで続ける（ステップＳ４）。記録が完了したら（ＹＥＳのルート）ステップＳ１で設定した全てのレーザパワーによる記録が終わったかを判断して（ステップＳ５）、終わっていなければ（ＮＯのルート）ステップＳ１で決定した次のＯＰＣライトパワー（図４のＰ４）をレーザ制御部３に設定して（ステップＳ６）ステップＳ４へもどり記録を繰り返す。ステップＳ５で全ての記録が完了したと判断したら（ＹＥＳのルート）記録発光を停止して（ステップＳ７）、ＯＰＣライト操作を終了する。
【００１２】
図５は、本発明の第１の実施例の試し書きをした領域に対してリードパワーのレーザ光を照射し、光ディスクからの反射光量を測定する（ＯＰＣリード）際に行う制御手順を示すフローチャートである。まず、前述のＯＰＣライトで記録された位置までピックアップ部２を移動するなどのＯＰＣリードのための通常の準備を行う（ステップＳ１１）。準備が完了し、ピックアップ部２から照射されるレーザ光が記録された位置にきたら、反射光量測定は図２のステップＳ１で設定した最初の記録レーザパワー（図４ではＰ１）で記録された位置の再生状態値としてシステムコントローラ部のＲＡＭで保存するようにする（ステップＳ１２）。次に、アナログ信号処理部５からＡ／Ｄ変換部６を通じてＲＦ信号をサンプリングすることで反射光量の値を実際に取得する（ステップＳ１３）。これにより記録具合が判断できる。取得値が記録パワーが変わった最初の取得値でなければ、同じ記録レーザパワーでの取得値との間で値に差が大きいかどうかを判断する（ステップＳ１４）。取得した値に他と大差なければ（ＮＯのルート）取得値を保存し（ステップＳ１５）、ステップＳ１３へ戻り反射光量の取得を繰り返す。
ステップＳ１４での判断で大きな差があれば（ＹＥＳのルート）、ＯＰＣリードが完了したかを、図２のステップＳ１でのレーザパワー変更分だけのステップＳ１２の保存設定変更があったかで判断し（ステップＳ１６）、そうであれば（ＮＯのルート）ステップＳ１２へもどり、次の記録レーザパワー（図４のＰ４）で記録された位置の再生状態値を取得していくことを続ける。ステップＳ１６で完了している判断であれば（ＹＥＳのルート）、ステップＳ１７へすすむ。ステップＳ１７ではこれまで取得してきた反射光量の値と記録レーザパワーの組合わせにより最適レーザパワーを計算し、レーザ制御部３にその設定値を設定して（ステップＳ１７）終了する。本発明ではＯＰＣライトでのレーザパワーの変動順と、ＯＰＣリードでの取得値によるレーザパワー変動検出が特徴であり、ステップＳ１７での最適レーザパワーの算出はどのような手法であってもかまわない。以上により、ＯＰＣライトにおいて１パワー当りの記録量を減らしても、ＯＰＣリード時に記録境界を容易に判断することができ、またそれにより各レーザパワーでの反射光量の値取得の精度をあげることが可能となる。
【００１３】
図６は、本発明の第２の実施例のＯＰＣライト時のＰＣＡ内アドレスとレーザパワーの関係を表す図である。前記において、図４における各レーザパワー境界の大きさ（段差）は、Ｐ３、Ｐ２、Ｐ５などとまちまちである。境界の大きさが小さいところでは相対的に他のところよりも境界識別に間違いが入る可能性が高くなる。そこで、図２のＳ１におけるレーザパワー値とその順番の決定において、図６に示すようなＰ１、Ｐ６、Ｐ２、Ｐ７、Ｐ３、Ｐ８、Ｐ４、Ｐ９、Ｐ５、Ｐ１０とすることにより、どのパワー変更境界においても、その差が同等であるようにするＯＰＣライトとすることが特徴である。これによって反射光量による境の判断の難易程度が一定となり、各レーザパワーでの反射光量取得の精度を均一に高めることが可能となる。
図７は、本発明の第３の実施例のＯＰＣライトの制御手順を示すフローチャートである。図７において図１と同等な制御は同じステップ番号（Ｓ）で示してあるので、重複する説明は省略する。図７において、１パワー当りの情報量の記録を完了した（ステップＳ４）後に、一定量の記録の間レーザパワーをオフにすることで、レーザパワー変更の際には必ず未記録領域とする制御（ステップＳ２０）が入ることが特徴である。
図８は、本発明の第３の実施例のＯＰＣリードの制御手順を示すフローチャートである。図８において図５と同等な制御は同じステップ番号（Ｓ）で示してあるので、重複する説明は省略する。図５では記録レーザパワーの変更境界判断を、ステップＳ１４の他のサンプル値との差から行っていたが、図８ではそのリード位置が未記録状態であること（通常は取得値が極大）を示すかどうかで判断する（ステップＳ２１）ことが特徴である。これによりＯＰＣリード時にパワーを変更した個所の検知がさらに明白となり、各レーザパワーでの反射光量取得の精度をさらに上げることが可能となる。
【００１４】
本発明の第４の実施例として、前記においてレーザパワーをオフにした後に再び記録状態に戻すと、発光が安定するまでに時間がかかる問題がある。前記図７でのステップＳ２０において全くパワーを０とするのではなく、システムコントローラ部７がレーザ制御部３に対してイレースパワー一定とする制御をおこなうことを特徴としている。これによって特にＣＤ−ＲＷのような書き換え可能な光ディスク媒体に対してレーザパワー変更境界で未記録状態とした直後でも安定したレーザ発光で記録を再開することができ、各レーザパワーでの反射光量取得の精度を上げることが可能となる。
図９は、本発明の第５の実施例のＯＰＣリードの制御手順を示すフローチャートである。図１のデータ変調部４がＯＰＣリード時にも動作するものであり、さらに所定量を擬似的に出力すると、システムコントローラ部７へ通知するものである。なお、図９において図５と同等な手順は同じステップ番号（Ｓ）で示してあるので、重複する説明は省略する。図９のステップＳ２２において、データ変調部４が規定データ量出力したことによる通知がシステムコントローラ部７にあったときに、次のパワー記録領域であると判断するのを特徴としている。これにより、ＯＰＣライトでの記録方法によらず、ＯＰＣリードでの記録レーザパワーの変更位置を正確に識別することができ、各レーザパワーでの反射光量取得の精度を上げることが可能となる。
【００１５】
【発明の効果】
以上記載のごとく本発明によれば、請求項１、６は、ＯＰＣライトにおいて１パワー当りの記録量を減らしても、ＯＰＣリード時に記録境界を容易に判断することができ、またそれにより各レーザパワーでの反射光量の値取得の精度をあげることが可能となる。
請求項２、７は、反射光量による境の判断の難易程度が一定となり、各レーザパワーでの反射光量取得の精度を均一に高めることが可能となる。
請求項３、８は、ＯＰＣリード時にパワーを変更した個所の検知がさらに明白となり、各レーザパワーでの反射光量取得の精度をさらに上げることが可能となる。
請求項４、９は、特にＣＤ−ＲＷのような書き換え可能な光ディスク媒体に対して、レーザパワー変更境界で未記録状態とした直後でも安定したレーザ発光で記録を再開することができ、各レーザパワーでの反射光量取得の精度を上げることが可能となる。
請求項５、１０は、ＯＰＣライトでの記録方法によらず、ＯＰＣリードでの記録レーザパワーの変更位置を正確に識別することができ、各レーザパワーでの反射光量取得の精度を上げることが可能となる。
【図面の簡単な説明】
【図１】本発明の一実施形態である光ディスクドライブ装置の構成を示したブロック図である。
【図２】本発明の第１の実施例のＯＰＣライト時の制御手順を示すフローチャートである。
【図３】通常でのＯＰＣライトでのパワー変動を示す図である。
【図４】本発明の第１の実施例のＯＰＣライトでのパワー変動を示す図である。
【図５】本発明の第１の実施例のＯＰＣリード時の制御手順を示すフローチャートである。
【図６】本発明の第２の実施例のＯＰＣライト時のＰＣＡ内アドレスとレーザパワーの関係を表す図である。
【図７】本発明の第３の実施例のＯＰＣライト時の制御手順を示すフローチャートである。
【図８】本発明の第３の実施例のＯＰＣリード時の制御手順を示すフローチャートである。
【図９】本発明の第５の実施例のＯＰＣリード時の制御手順を示すフローチャートである。
【符号の説明】
１  光ディスク媒体、２  ピックアップ、３  レーザ制御部、４  データ変調部、５  アナログ信号処理部、６  Ａ／Ｄ変換部、７  システムコントローラ、８  駆動モータ、９  データ復調部、１０  サーボ部
【図１】
0004564210.tif 000002
【図２】
0004564210.tif 000003
【図３】
0004564210.tif 000004
【図４】
0004564210.tif 000005
【図５】
0004564210.tif 000006
【図６】
0004564210.tif 000007
【図７】
0004564210.tif 000008
【図８】
0004564210.tif 000009
【図９】
0004564210.tif 000010